(57)【特許請求の範囲】
【請求項１】
被検者の身長に基づく基準の体重に予め定められた基準脂肪率を掛けて基準脂肪量を算出し、
被検者の体重から前記基準の体重を差し引いた値を前記基準脂肪量からの被験者における脂肪量の偏差とみなして、前記基準脂肪量に前記偏差を加えた値を被検者の脂肪量として算出することにより前記被検者の脂肪量に基づく健康指標を算出する、健康指標算出方法。
【請求項２】
前記基準の体重は、標準体重である、請求項１に記載の健康指標算出方法。
【請求項３】
前記健康指標は、体脂肪率である、請求項１または２に記載の健康指標算出方法。
【請求項４】
被検者の身長および体重を入力する入力部と、
前記入力部に入力された身長に基づいて基準の体重を算出し、当該基準の体重に予め定められた基準脂肪率を掛けて基準脂肪量を算出する基準脂肪量算出部と、
前記入力部に入力された体重から前記基準の体重を差し引いた値を前記基準脂肪量からの被験者における脂肪量の偏差とみなして、前記基準脂肪量に前記偏差を加えた値を被検者の脂肪量として算出し、前記被検者の脂肪量に基づく健康指標を算出する健康指標算出部と、を備えた、健康指標算出装置。
【請求項５】
コンピュータを、
被検者の身長および体重を取得する身長体重取得部、
前記身長体重取得部で取得した身長に基づいて基準の体重を算出し、当該基準の体重に予め定められた基準脂肪率を掛けて基準脂肪量を算出する基準脂肪量算出部、および
前記身長体重取得部で取得した体重から前記基準の体重を差し引いた値を前記基準脂肪量からの被験者における脂肪量の偏差とみなして、前記基準脂肪量に前記偏差を加えた値を被検者の脂肪量として算出し、前記被検者の脂肪量に基づく健康指標を算出する健康指標算出部、として機能させる、健康指標算出プログラム。
【発明の詳細な説明】
【技術分野】
【０００１】
本発明は体脂肪率などの健康指標を算出するための健康指標算出方法、健康指標算出装置、および健康指標算出プログラムに関する。
【背景技術】
【０００２】
近年、被検者の生体インピーダンスを計測することにより体脂肪率を測定する体脂肪計などの健康管理装置が一般的に知られている（例えば特許文献１参照）。このような体脂肪計においては、生体インピーダンスとそのときの体脂肪率との相関関係を統計的なデータに基づいて算出したものが予め記憶されており、インピーダンス計測により被測定体の現在の生体インピーダンスを計測することにより、当該統計的なデータに基づく相関関係から当該生体インピーダンスにおける統計的な体脂肪率を現在の体脂肪率として出力している。
【先行技術文献】
【特許文献】
【０００３】
【特許文献１】特開２００３−９３３６３号公報
【発明の概要】
【発明が解決しようとする課題】
【０００４】
このように、従来の健康管理装置においては、現在の計測値と、統計的なデータに基づく相関関係とを用いて健康指標（体脂肪率など）を出力するため、現在の計測値に基づく指標しか得ることができず、経時的な変化を見ることはできなかった。健康指標において経時的な変化をみることができないため、被測定体自身によらない平均的な値からの健康の指針（太りすぎ、痩せすぎなど）は示すことができるものの、個体に応じた健康指標（体重変化、脂肪量変化、体脂肪率変化など）を提供することはできなかった。
【０００５】
本発明は、このような事情に鑑みてなされたものであり、簡単に個体に応じた健康指標を提供することができる健康指標算出方法、健康指標算出装置、および健康指標算出プログラムを提供することを目的とする。
【課題を解決するための手段】
【０００６】
上記課題を解決するため、本発明の一の態様に係る健康指標算出方法は、被検者の身長に基づく基準の体重に予め定められた基準脂肪率を掛けて基準脂肪量を算出し、被検者の体重から前記基準の体重を差し引いた値を前記基準脂肪量からの被験者における脂肪量の偏差とみなして、前記基準脂肪量に前記偏差を加えた値を被検者の脂肪量として算出することにより前記被検者の脂肪量に基づく健康指標を算出するものである。
【０００７】
上記方法によれば、被検者の身長に基づく基準の体重から基準脂肪量を算出し、被検者の体重から基準の体重を差し引いた値を基準脂肪量からの被験者における脂肪量の偏差とみなすことで、身長および体重から被検者の脂肪量に基づく健康指標を簡単に算出できる。
【０００８】
前記基準の体重は、標準体重であってもよい。前記健康指標は、体脂肪率であってもよい。
【００１０】
本発明の他の態様に係る健康指標算出装置は、被検者の身長および体重を入力する入力部と、前記入力部に入力された身長に基づいて基準の体重を算出し、当該基準の体重に予め定められた基準脂肪率を掛けて基準脂肪量を算出する基準脂肪量算出部と、前記入力部に入力された体重から前記基準の体重を差し引いた値を前記基準脂肪量からの被験者における脂肪量の偏差とみなして、前記基準脂肪量に前記偏差を加えた値を被検者の脂肪量として算出し、前記被検者の脂肪量に基づく健康指標を算出する健康指標算出部と、を備えている。
【００１１】
本発明の他の態様に係る健康指標算出プログラムは、コンピュータを、被検者の身長および体重を取得する身長体重取得部、前記身長体重取得部で取得した身長に基づいて基準の体重を算出し、当該基準の体重に予め定められた基準脂肪率を掛けて基準脂肪量を算出する基準脂肪量算出部、および前記身長体重取得部で取得した体重から前記基準の体重を差し引いた値を前記基準脂肪量からの被験者における脂肪量の偏差とみなして、前記基準脂肪量に前記偏差を加えた値を被検者の脂肪量として算出し、前記被検者の脂肪量に基づく健康指標を算出する健康指標算出部、として機能させるものである。
【発明の効果】
【００１２】
本発明は、上記のように構成され、簡単な構成で個体に応じた健康指標を提供することができる。
【図面の簡単な説明】
【００１３】
【図１】図１は、本発明の一実施形態における健康指標算出装置を示す外観図である。図１（ａ）は正面図であり、図１（ｂ）は側面図である。
【図２】図２は、図１に示す健康指標算出装置の信号処理に関するハードウェア構成を示したブロック図である。
【図３】図３は、本実施形態の変形例１における健康指標算出プログラムの制御の流れを示すフローチャートである。
【図４】図４は、図３に示す健康指標算出プログラムで用いられる入力画面を示す図である。
【図５】図５は、図３に示す健康指標算出プログラムで用いられる出力画面を示す図である。
【図６】図６は、本実施形態の変形例２における健康指標図表を示す図である。
【発明を実施するための形態】
【００１４】
＜発明の概要＞
まず、本発明の概要について説明する。
【００１５】
従来の体脂肪計においては、測定によって得られた被測定体（被検者）の生体インピーダンスデータを、体型から導かれた体脂肪率の統計値（平均値）のデータと組み合わせて体脂肪率を計算していたが、このような従来の体脂肪計は、以下のような３つの大きな問題点を有していた。
【００１６】
１つ目の問題点は、前述のように体脂肪率の計算に統計的要素が多く含まれていることである。このことは、一過性の測定においては問題にならない場合も多いが、ダイエットなど経時的な脂肪量の変化を知りたい場合には正しい情報を得ることができず、大きな問題となる。
【００１７】
ここで、体重７０ｋｇでＣＴなどのＸ線装置で計測した体脂肪率が２８％（すなわち脂肪量１９．６ｋｇ）の被測定体が１０ｋｇの減量を行った場合を例にとって説明する。減量後の被測定体の脂肪量をＣＴなどのＸ線装置で計測すると、体重の変化量に略等しい量だけ脂肪量が減少する場合が多い。すなわち、減量後の脂肪量は約９．６ｋｇとなり、この時の体脂肪率は、１６％となっている。ところが、従来の体脂肪計においては７０ｋｇから６０ｋｇに減量したという情報は何ら反映されないため、６０ｋｇの体重の統計値に基づいて体脂肪率が計算される。この結果、従来の体脂肪計においては、減量後の体脂肪率が２６．６％（減量後の脂肪量は約１６ｋｇ）であるかのような表示がなされる。ここで、Ｘ線ＣＴ装置などのＸ線装置による計測法（Ｘ線法）は被測定体の身体のＸ線吸収率から脂肪量を求める手法であり、年齢や身長といった統計的要素は含まれておらず、精度が高い計測法として確立されている。
【００１８】
これに対し、従来のインピーダンス法を用いた体脂肪計においては、統計的要素への依存が高く正確な脂肪量の測定に至っていないことが分かる。そもそも、インピーダンス法は電気の流れない（水分の少ない）脂肪を直接計測できるものではなく、水分量の多い筋肉などの除脂肪量に基づいて間接的に脂肪量を推定しているに過ぎないので、高精度な計測を行うには限界がある。また、運動の直後や風呂上がりなど水分量が一時的に変化している際には、計測されるインピーダンス値も大きく変化するため、インピーダンス計測時の状況に応じて結果が大きく異なることとなり、高精度な計測を行うには制約も多い。
【００１９】
２つ目の問題点は、従来の体脂肪計による計測においては、体重の変化によって除脂肪量が非常に大きく変動することである。人体の組成を大きく分けると、脂肪（量）と脂肪以外の除脂肪（量）との２つに分けられる。一般的な成人男女の場合、除脂肪組織の大半は臓器、血管、血液、骨といった不変性の強い組織で構成されており、体脂肪量が変化しても除脂肪量はほとんど変化しないことが多い。除脂肪組織の中には、筋肉（骨格筋）や体水分も含まれるが、一般的な生活においては（急激な生活の変化がない限り）筋肉組成が大きく変化することは少ない。また、体水分に関しても、病気などの異常時を除けば体重が変化しても循環血液がそれに追随して変化することはない。したがって、筋肉が変化しなければ水分も変化しないと考えられる。
【００２０】
このように、実際のところ、同じ被測定体において体重変化に対する除脂肪量の変動要素は圧倒的に少ない。にも拘らず、従来の体脂肪計においては、過去の体重は考慮されないため、過去のある時点での除脂肪量と現在の除脂肪量とが大きく異なった状態で脂肪量が演算される結果、脂肪量の誤差が大きくなっている。
【００２１】
３つ目の問題点は、従来のインピーダンス法を用いた体脂肪計においては、統計的要素を組み込む際のアルゴリズムが機種またはメーカによって異なるため、同じ被測定体が異なる体脂肪計で計測しても異なる結果が出力されてしまう（体脂肪計ごとの器差が生じてしまう）ことである。これは、統計的要素を組み込むためにはアルゴリズムが必要となり、そのアルゴリズムには様々な態様が存在すること、および、体重計測に関しては計量法に基づく規格が存在するのに対し、脂肪量の計測に関してはそのような規格が存在していないことが要因と考えられる。上述の通り、そもそも統計的要素を用いた体脂肪計測においては経時的な変化に追従できるほど精度が高くないため、規格として統一できるほどのアルゴリズムが確立できないことが考えられる。
【００２２】
また、このような体脂肪計においては、予め統計的要素を組み込むために統計をとる必要があることから、性別や人種によって統計的要素を組み込むアルゴリズム自体を変更する必要がある。特に、人種に応じてアルゴリズムを変更するのは容易ではなく、インピーダンス法を用いて全世界的な体脂肪計を作製することは容易ではない。また、成長期の子供などには身長の急激な変化が生じ易く、また個体差が大きいため、統計的要素が当てはまり難く、子供に対する体脂肪測定の精度を高めることができない。
【００２３】
本発明の発明者らは、以上の３つの問題点を踏まえ、鋭意研究した結果、「統計的要素の排除」および「除脂肪量の不変化」の双方を実現できる健康指標算出方法を発明するための知見を得た。すなわち、本発明の発明者らは、体重から固定の除脂肪量を引いた値が脂肪量であることから、「体重の変化＝脂肪量の変化」と考えるのが、最も正しい脂肪量の計算式となるという知見を得た。このことは、医療の現場において、体脂肪率を低減させるために体重を減らす指導を行っていることとも合致する。
【００２４】
さらに、より簡単に健康指標を算出するために、基準の体重における基準脂肪率を基準脂肪量として算出すれば、被検者の体重における基準の体重からの差は、基準脂肪量からの脂肪量の偏差とみなすことができるという知見を得た。
【００２５】
このような知見に基づいて、本発明の発明者らは、本発明を発明するに至った。すなわち、本発明のある態様に係る健康指標算出方法は、身長に基づく基準の体重に予め定められた基準脂肪率を掛けて基準脂肪量を算出し、被検者の体重から前記基準の体重を差し引いた値を前記基準脂肪量からの被験者における脂肪量の偏差とみなして、前記基準脂肪量に前記偏差を加えた値を被検者の脂肪量として算出することにより前記被検者の脂肪量に基づく健康指標を算出するものである。
【００２６】
上記方法によれば、身長に基づく基準の体重から基準脂肪量を算出し、体重から基準の体重を差し引いた値を基準脂肪量からの被験者における脂肪量の偏差とみなすことで、身長および体重から被検者の脂肪量に基づく健康指標を簡単に算出できる。
【００２７】
さらに、上記方法によって算出された健康指標を、身長および体重を変数とする図表に表すことにより、使用者の身長および体重から簡単に健康指標を調べることができる。
【００２８】
＜実施形態＞
以下、本発明の実施形態における健康指標算出方法、健康指標図表、健康指標算出装置および健康指標算出プログラムの具体的な態様について、図面を参照しながら説明する。なお、以下では全ての図面を通じて同一または相当する要素には同一の参照符号を付して、その重複する説明を省略する場合がある。また、以下の具体的な説明は、本発明の特徴を例示しているに過ぎない。例えば、上記健康指標算出装置を特定した用語と同じ用語または相当する用語に適宜の参照符号を付して以下の具体例を説明する場合、当該具体的な構成要素は、これに対応する上記健康指標算出装置の構成要素の一例である。したがって、上記健康指標算出方法、健康指標図表、健康指標算出装置および健康指標算出プログラムの特徴は、以下の具体的な説明によって限定されない。
【００２９】
なお、本明細書および特許請求の範囲において、健康指標を算出する対象には、人間だけでなく、人間以外の動物全般（例えば、犬、猫などの愛玩動物、豚、牛などの畜産動物、魚など）が含まれる。動物については生体に限らず、食肉などへの加工後のものも含まれる。以下では、一例として人間（以下、被検者という）の健康指標を算出するための健康指標算出装置について説明する。
【００３０】
＜全体構造＞
図１および図２に示すように、健康指標算出装置１０は、主として、本体部１１と体重計測部１２とを備えている。本体部１１には、健康指標算出装置１０の操作入力を行う操作部１３と、各種設定を表示したり、各種測定・演算結果を表示したりする表示部１４と、制御部２０とが設けられる。本体部１１と体重計測部１２とは、柱状の支持部１５により接続されている。支持部１５は中空に形成されており、内部に本体部１１内に設けられた制御部２０と体重計測部１２とを電気的に接続する信号ケーブル（図示せず）が通されている。
【００３１】
体重計測部１２には、被検者の体重を計測するためのロードセル（図示せず）が内蔵されている。被検者が、自己の体重を計測するために体重計測部１２の計測面１７に載ると、被検者の体重がロードセルによって検出される。なお、ロードセルによって検出された被検者の体重のデ−タは、検出精度を保持するべく、アンプ（図示せず）によって増幅された後にＡ／Ｄ変換され、ディジタル信号として制御部２０（後述する情報取得部２１）に入力される。
【００３２】
操作部１３には、電源スイッチ、被検者の情報を入力する入力用スイッチなど各種のスイッチが配設されている。操作部１３は、被検者の身長を入力したり、後述する基準脂肪量を設定入力したりすることができるように構成されている。さらに、操作部１３に体重を入力可能としてもよい。これにより、体重計側部１２を用いて体重を必ずしも毎回計測することなく健康指標の算出を行うことができる。なお、操作部１３で入力可能な情報は、上記に限られず、例えば、性別、年齢、体型等を入力可能に構成されてもよい。
【００３３】
制御部２０は、各種の計測部および操作部１３からの情報に基づいて演算を行うコンピュータであり、例えばマイクロプロセッサなどにより構成される。制御部２０は、各種計測部および操作部１３から入力される情報を取得する情報取得部２１と、情報取得部２１から入力された情報および演算結果を記憶するＲＡＭやＲＯＭ等を有する記憶部２２と、各種の情報に基づいて所定の演算を行うＣＰＵ等を有する演算部２３とを備えている。
【００３４】
情報取得部２１、記憶部２２および演算部２３は、バス２４により互いに通信可能に接続されている。また、情報取得部２１には、体重計測部１２および操作部１３が接続されている。また、表示部１４は、バス２４に接続され、情報取得部２１において取得された情報や演算部２３で演算された情報がバス２４を介して表示部１４に出力される。記憶部２２には、各種演算を行うための健康指標算出プログラム１００が記憶されており、制御部２０は、健康指標算出プログラム１００に基づいて各種情報を取得し、それに基づいて各種の演算を行う。
【００３５】
また、記憶部２２は、情報取得部２１で得られた各種の情報を記憶し、保存する。記憶部２２は、当該各種の情報を複数の被検者ごとに記憶可能に構成される。これにより、１つの装置で複数の被検者のそれぞれに応じた健康指標を得ることができる。
【００３６】
＜アルゴリズム＞
健康指標算出プログラム１００は、コンピュータである制御部２０を、被検者の健康指標を算出するよう機能させる。具体的には、制御部２０の情報取得部２１は、身長および体重を取得する身長体重取得部２１１として機能する。演算部２３は、基準脂肪量算出部２３１および健康指標算出部２３２として機能する。基準脂肪量算出部および健康指標算出部２３２は、下記アルゴリズムに基づいて被検者の身長および体重から被検者の被検者の脂肪量を算出する。
【００３７】
基準脂肪量算出部２３１は、身長体重取得部２１１で取得した身長に基づいて基準の体重を算出し、当該基準の体重に予め定められた基準脂肪率を掛けて基準脂肪量を算出する。基準の体重は、例えば標準体重である。標準体重（Ｗｓ［ｋｇ］とする）は、身長体重取得部２１１で取得した身長をＬ［ｍ］とするとＷｓ＝Ｌ２×２２で求められる。なお、基準の体重は、身長に基づいて得られるものであればこれに限られない。例えば、基準の体重として、身長に応じた平均体重、健康体重、他の算出式に基づいた値、および、これらの値に性別、年齢、体型等に応じた所定の係数を掛けたもの等、種々採用可能である。また、基準脂肪率は、予め定められる値であれば特に限定されない。例えば、基準脂肪率（ＦＰｓとする）は、ＦＰｓ＝０．２（一律２０％）としてもよい。さらに、基準脂肪率は、平均脂肪率、健康脂肪率、他の算出式に基づいた値、および、これらの値に性別、年齢、体型等に応じた所定の係数を掛けたもの等、種々採用可能である。
【００３８】
基準脂肪量算出部２３１は、上記基準の体重に基準脂肪率を掛けて基準脂肪量を算出する。例えば上記例によれば、基準脂肪量算出部２３１は、身長体重取得部２１１で得られた身長Ｌに基づいて、基準脂肪量をＦｓ［ｋｇ］＝Ｗｓ×ＦＰｓ＝Ｌ２×２２×０．２＝４．４Ｌ２として算出する。本アルゴリズムにおいて、基準脂肪量Ｆｓは、被検者の身長Ｌにおいて基準となる（目標とすべき）脂肪量とみなされる。
【００３９】
健康指標算出部２３２は、身長体重取得部２１１で取得した体重から基準の体重を差し引いた値を基準脂肪量からの被験者における脂肪量の偏差とみなして、基準脂肪量に上記偏差を加えた値を被検者の脂肪量として算出し、被検者の脂肪量に基づく健康指標を算出する。健康指標算出部２３２は、基準脂肪量Ｆｓからの被験者における脂肪量の偏差（Ｄｆ［ｋｇ］とする）を、身長体重取得部２１１で取得した体重（Ｗ［ｋｇ］とする）および基準脂肪量算出部２３１で算出された基準の体重ＷｓからＤｆ＝Ｗ−Ｗｓとして算出する。
【００４０】
この偏差Ｄｆは、基準の体重Ｗｓからの被検者の体重の過不足量を示し、本アルゴリズムにおいて、この過不足量を、基準となる脂肪量からの被験者の脂肪量の過不足量とみなしている。すなわち、基準の体重Ｗｓからの被検者の体重の変化分を脂肪量の変化分とみなしている。
【００４１】
そこで、健康指標算出部２３２は、基準脂肪量算出部２３１で算出された基準脂肪量Ｆｓに上記偏差Ｄｆを加えることにより、被検者の脂肪量（Ｆ［ｋｇ］とする）を算出する。すなわち、健康指標算出部２３２は、被検者の脂肪量を、Ｆ＝Ｆｓ＋Ｄｆ＝Ｆｓ＋Ｗ−Ｗｓとして算出する。
【００４２】
なお、本実施形態においては、基準脂肪量算出部２３１が基準脂肪量Ｆｓを中間生成値として算出した後、健康指標算出部２３２が基準脂肪量Ｆｓを用いて被検者の脂肪量Ｆを算出するように構成されている。しかし、本発明は上記アルゴリズムの演算に基づいて被検者の脂肪量Ｆを算出する限りこれに限られない。例えば、制御部２０は、基準脂肪量Ｆｓを中間生成値として算出しなくてもよい。この場合、制御部２０は、被検者の脂肪量を、例えばＦ＝Ｆｓ＋Ｄｆ＝４．４Ｌ２＋Ｗ−２２Ｌ２＝Ｗ−１７．６Ｌ２を用いて直接算出してもよい。つまり、身長体重取得部２１１で得られた身長Ｌおよび体重を用いた上記アルゴリズムに基づく演算の結果として得られる数式から被検者の脂肪量Ｆが算出されることとしてもよい。
【００４３】
健康指標算出部２３２は、上記のようにして算出された被検者の脂肪量Ｆから健康指標を適宜算出する。算出された健康指標は、表示部１４に表示される。健康指標としては、例えば、体脂肪率を含む。体脂肪率（ＦＰとする）は、被検者の体重Ｗに対する被検者の脂肪量Ｆの割合、すなわち、ＦＰ［％］＝（Ｆ／Ｗ）×１００により求められる。健康指標は、体脂肪率以外の値、例えば、除脂肪量（Ｗ−Ｆ）、除脂肪率（１００×（Ｗ−Ｆ）／Ｗ）等であってもよい。健康指標として被検者の脂肪量Ｆをそのまま出力することとしてもよい。また、健康指標として、被検者の脂肪量Ｆの大きさに応じて複数のレベルに区分けし、何れのレベルに含まれるかについてのレベル判定結果を表示してもよい。例えば、被検者の体脂肪率ＦＰの基準脂肪率ＦＰｓに対する差が±２ポイント未満の値なら「適正」、＋２〜＋５ポイントの範囲の値なら「やや太り気味」、＋５ポイントより大きい値なら「太り気味」、−２〜−５ポイントの範囲の値なら「やや痩せ気味」、−５ポイントより小さい値なら「痩せ気味」に区分けしたものを健康指標としてもよい。
【００４４】
上記構成によれば、被検者の身長Ｌに基づく基準の体重から基準脂肪量Ｆｓを算出し、被検者の体重Ｗから基準の体重を差し引いた値を基準脂肪量からの被験者における脂肪量の偏差Ｄｆとみなすことで、身長Ｌおよび体重Ｗから被検者の脂肪量Ｆに基づく健康指標を簡単に算出できる。
【００４５】
なお、算出された健康指標は、その時に取得した身長および体重とともに記憶部２２に記憶してもよい。さらに、記憶部２２に記憶されたこれらの情報に基づいて統計を取ったり、被検者ごとの履歴をグラフ化したりすることもできる。
【００４６】
本実施形態においては、体重計側部１２を備えた健康指標算出装置１０について説明したが、体重計側部１２に加えてまたはこれに代えて身長計測部を備えてもよい。すなわち、体重計、身長計、身長体重計等の何れの計測機器に健康指標算出プログラム１００を実装させて健康指標算出装置を構成してもよい。
【００４７】
＜変形例１＞
上記実施形態では、体重計側部１２を備えた健康指標算出装置１０（すなわち、体重計に健康指標算出装置を組み込んだ構成）に基づいて説明したが、上記健康指標算出方法を用いる限り、上記態様に限られない。すなわち、体重および身長を計測する構成は必ずしも必要ではない。
【００４８】
例えば、電卓、ウェブページ、スマートフォン用のアプリ等において、上記アルゴリズムによる演算を行う健康指標算出プログラムを実行させることとしてもよい。図３に示すように、プログラムを起動すると、まず、モニタ等の表示画面に図４に示すような入力画面１４０を表示させる（ステップＳ１）。図４の例においては、スマートフォン等のタッチパネルこのような入力画面１４０には、体重入力枠１４１および身長入力枠１４２が設けられる。被検者（ユーザ）は、体重入力枠１４１に自身の体重を入力し、身長入力枠１４２に自身の身長を入力する。具体的には、各入力枠１４１，１４２をタップして、当該タップした入力枠への入力を可能にした状態で、タッチパネルによる数字入力を行って各入力枠１４１，１４２へ身長および体重を入力する。なお、タッチパネルが設けられていないパーソナルコンピュータ等の表示部１４においては、マウス、キーボード等の入力操作器を用いて入力する。
【００４９】
さらに、入力画面１４０には、結果表示ボタン領域１４３が設けられる。被検者が、各入力枠１４１，１４２への身長および体重の入力後、この結果表示ボタン領域１４３をタップ入力した場合、健康指標算出プログラムは、コンピュータを、身長体重取得部２１１、基準脂肪量算出部２３１および健康指標算出部２３２として機能させることにより、健康指標の算出を実行する。
【００５０】
具体的には、結果表示ボタン領域１４３がタップ入力された場合に、身長体重取得部２１１は、体重入力枠１４１に体重入力がなされているか否かを判定し（ステップＳ２）、引き続いて、身長入力枠１４２に身長入力がなされているか否かを判定する（ステップＳ３）。何れかの入力枠が未入力である場合や、数値が所定の範囲内でない場合や数字以外の入力がなされている等、適切な入力でない場合（ステップＳ２またはステップＳ３でＮｏ）には、再度入力画面１４０を表示して、適切な入力を促す。
【００５１】
各入力枠に適切な入力がなされていると判定された場合（ステップＳ２およびステップＳ３でともにＹｅｓ）、身長体重取得部２１１は、各入力枠に入力された身長および体重の情報を取得する（ステップＳ４）。そして、基準脂肪量算出部２３１および健康指標算出部２３２は、上述したアルゴリズムを用いて脂肪量に基づく健康指標を算出する（ステップＳ５）。
【００５２】
健康指標算出プログラムは、健康指標の算出結果を表示するために、出力画面１４４をモニタ等の表示画面に表示させる（ステップＳ６）。図５に示すように、出力画面１４４には、健康指標表示枠１４５，１４６が設けられる。図５の例においては、第１の健康指標として体脂肪率が第１健康指標表示枠１４５に表示され、第２の健康指標として当該体脂肪率に応じたレベル判定結果（前述）が第２健康指標表示枠１４６に表示される。なお、出力画面１４４の態様は、図５のような例に限定されるものではなく、健康指標を１つのみ表示するものであってもよいし、ユーザによりどのような健康指標を表示するかを切り替え可能な構成としてもよい。
【００５３】
このように、本変形例によれば、何らの測定器具を有することなく、身長および体重を入力するだけで、体脂肪率等の健康指標を簡単に得ることができる。
【００５４】
＜変形例２＞
上記実施形態および上記変形例１では、上記アルゴリズムに基づいてコンピュータ（制御部を含む）が入力された身長および体重に基づいて健康指標を演算する態様について説明したが、上記アルゴリズムに基づいて演算された健康指標の結果だけを用いてもよい。
【００５５】
例えば、図６に示す健康指標図表１１０は、第１軸（横軸）に身長をとり、第１軸に交差する第２軸（縦軸）に体重をとり、第１軸の所定値と第２軸の所定値との交差部１１１に、各軸の値を用いて上記アルゴリズムを用いて算出した健康指標（体脂肪率）を記載したものである。この図表１１０は、紙等に印刷されたものでもよいし、グラフデータ等のコンピュータに記憶されたものでもよいし、ウェブページ等のネットワーク上にアップロードされたものでもよい。なお、図表１１０における第１軸および第２軸の配置は適宜変更してもよい。
【００５６】
上記図表１１０によれば、被検者の身長および体重が交差する交差部１１１に記載されている数値を読み取るだけで当該被験者の健康指標を得ることができる。したがって、何らの機器を使用することなく、被検者の身長および体重から簡単に健康指標を調べることができる。
【００５７】
なお、図６の例では、交差部１１１に健康指標として体脂肪率が記載されているが、脂肪量、除脂肪量等、他の健康指標が記載されてもよい。また、これらの値に性別や年齢に応じた係数を掛けた数値を健康指標として記載してもよい。すなわち、同じ健康指標の種類（例えば体脂肪率）でも、性別や年齢に応じて異なる複数の健康指標図表が作成されてもよい。また、前述したレベル分けに応じて交差部の背景の色を変えてもよい。例えば「適正」レベルに含まれる交差部１１１は、背景を緑色にし、「やや太り気味」レベルに含まれる交差部１１１は、背景を黄色にし、「太り気味」レベルに含まれる交差部１１１は、背景を赤色にしてもよい。
【００５８】
このような図表１１０は、体重計や身長計の近傍に掲示しておくことにより、別途インピーダンス測定等を行うことなく、体重および身長を計測するだけで、簡単に健康指標を得ることができる。また、学校、施設、生産現場等といった様々な場所に掲示しておくことにより、これらの場所で健康指標を簡単に把握することが可能となる。
【００５９】
以上、本発明の実施形態について説明したが、本発明は上記実施形態および変形例に限定されるものではなく、その趣旨を逸脱しない範囲内で種々の改良、変更、修正が可能である。
【産業上の利用可能性】
【００６０】
本発明の健康指標算出方法、健康指標算出装置および健康指標算出プログラムは、簡単な構成で個体に応じた健康指標を提供するために有用である。
【符号の説明】
【００６１】
１０  健康指標算出装置
１００  健康指標算出プログラム
１１０  健康指標算出図表
１１１  交差部
２１１  身長体重取得部
２３１  基準脂肪量算出部
２３２  基健康指標算出部
【図１】
0006418822.tif 000002
【図２】
0006418822.tif 000003
【図３】
0006418822.tif 000004
【図４】
0006418822.tif 000005
【図５】
0006418822.tif 000006
【図６】
0006418822.tif 000007